(57)【要約】【課題】主に各種電子機器の操作に用いられる携帯送信機に関し、防水性や防塵性を高め、確実な操作の可能なものを提供することを目的とする。【解決手段】弾性体１８を、外周に備えられた薄肉の外壁部１８Ａと、弾性体１８の底部１８Ｂと、底部の下面から側方に延出した把持部１８Ｃとで構成し、下ケース１５の下面の円孔部１５Ａの周囲に円孔部１５Ａを周回して窪部１５Ｅが設けられ、窪部１５Ｅに弾性体１８の外壁部１８Ａを密着挿入して携帯送信機を構成したものであり、弾性体１８の底部１８Ｂが、窪部１５Ｅに密着挿入された外壁部１８Ａと接合されることにより、湿気や埃の進入経路が減りかつ弾性体１８が捩れないため、均等な密封性が保て、防水性や防塵性に優れ、確実な操作の可能な携帯送信機を得ることができる。【選択図】図２
2010251890.tif 000002
【特許請求の範囲】
【請求項１】
下面開放の上ケースと、
前記上ケース内に収納されるカバーシートと、
スイッチ接点と、前記スイッチ接点の接離を検出して所定の信号を送信する制御手段が設けられた配線基板と、
電池が挿入される下面側が円形に窪んだ円孔部を備え、前記カバーシートと前記配線基板を、前記上ケースとの間で収納保持する下ケースと、
前記下ケースの下面に装着される弾性体と、
前記弾性体下面に当接する下カバーを備えたものであって、
前記弾性体は、外周に周回して備えられた薄肉の外壁部と、前記外壁部と接合された底部を備え、
前記下ケースの下面の前記円孔部の周囲には前記円孔部の外周を周回して窪部が設けられ、前記窪部に前記弾性体の前記外壁部が密着挿入され、
前記下カバーに設けられた突出した押圧部が前記弾性体の前記外壁部を下方から押圧する携帯送信機。
【請求項２】
弾性体の外壁部の上面が、下ケースの窪部の上面に周回して設けられた突部に押圧された請求項１記載の携帯送信機。
【発明の詳細な説明】
【技術分野】
【０００１】
本発明は、主に車両の遠隔施解錠操作およびドアの開閉操作などに用いられる携帯送信機に関するものである。
【背景技術】
【０００２】
従来から車両の運転者が携帯送信機を用いて、車両のドアの施解錠やドアの開閉操作を遠隔操作することが広く行われており、携帯送信機をポケットやカバンなどに入れて持ち運ぶことから、防水性や防塵性に優れ、確実な操作を行えるものが求められている。
【０００３】
このような従来の携帯送信機について、図５及び図６を用いて説明する。
【０００４】
図５は従来の携帯送信機の断面図、図６は同分解斜視図であり、同図において、１は略箱型で絶縁樹脂製の上ケースで、上面には複数の角孔１Ａが設けられている。
【０００５】
そして、２は弾性材料のカバーシートで、複数の押釦部２Ａ上方には例えばドアの施錠や解錠を示す文字や記号等の表示が印刷されている。
【０００６】
また、３は上下面に複数の配線パターン（図示せず）が形成された配線基板で、この上面にはプッシュスイッチ等のスイッチ接点４Ａが実装されると共に配線パターンで送信アンテナ（図示せず）が形成され、また配線基板３の上面にはマイコン等が実装されて制御手段４Ｂが形成され、この制御手段４Ｂが配線パターンを介して、複数のスイッチ接点４Ａや送信アンテナに接続されている。
【０００７】
また、５は略箱型で絶縁樹脂製の下ケースで、下面略中央に下面側が円形に窪んだ円孔部５Ａを備え、この円孔部５Ａは上面の一部を上面壁５Ｂで覆われると共に下面には係止部５Ｃが設けられており、上面壁５Ｂと係止部５Ｃの間には電池７が保持されている。
【０００８】
さらに、電池７は配線基板３の下面に設けられた正極と負極の二つの導電性電極（図示せず）と、各々電池７の上面および下面で接しており、これにより配線基板３の制御手段４Ｂへ電源が供給される。
【０００９】
そして、円孔部５Ａを囲むようにして下面側に略リング状の窪部５Ｄが形成され、この窪部５Ｄ内に略リング状で円形断面のゴム等の弾性体８が挿入される。
【００１０】
さらに、９は絶縁樹脂製で略長方形の電池カバーで、上面が平坦で略リング状に盛り上がった突部９Ａが弾性体８を下方から押圧すると共に、突部９Ａを囲んで電池カバー９の長手方向となる前後には複数のネジ孔９Ｂが設けられ、複数のネジ１０により下ケース５に締付けられると共に、下ケース５の下方からネジ１０を隠すように下カバー１１が覆って、携帯送信機１５が構成されている。
【００１１】
なお、このような携帯送信機を組立てる際には、先ず、作業者は下ケース５に配線基板３やカバーシート２を装着した後、上ケース１の角孔１Ａ内から押釦部２Ａが露出するように、上ケース１を載せ、上ケース１と下ケース５との間に配線基板３やカバーシート２を収納保持し、電池７を上面壁１５Ｂと止金具１６との間に挿入する。
【００１２】
そして、弾性体８を均等に下ケース５と電池カバー９との間で密着保持するために、複数のネジ１０で締付トルクが所定の範囲で均等になる様に注意しながら電池カバー９を下ケース５に締付けて、その後、下カバー１１を被せるものであった。
【００１３】
つまり、携帯送信機１５の防水性、防塵性を維持するために、弾性体８が下ケース５と電池カバー９との間で、所定の押圧力で密閉されていることが必要であり、そのため、作業員が複数のネジ１０を締付トルクが所定の範囲で均等になる様に締め付けていた。
【００１４】
以上の構成において、押釦部２Ａの例えばドアの解錠を示す表示が印刷された箇所を押圧操作すると、この下方のスイッチ接点４Ａの接離を制御手段４Ｂが検出し、この操作に応じた解錠信号を送信アンテナから車両へ送信して、例えば、ドアの解錠制御などが行われる。
【００１５】
また、この時、携帯送信機の下ケース５と電池カバー９の間で、弾性体８が上面及び左右側面を窪部５Ｄに、下面を突部９Ａに弾接しているため、携帯送信機が湿気や埃の多い場所で使用された場合でも、水滴や塵埃等が携帯送信機内に侵入しづらいようになっている。
【００１６】
つまり、複数のネジ１０で下ケース５と電池カバー９を締付け、これによって窪部５Ｄ内に挿入された弾性体８を、下方の突部９Ａに弾接させることで、水滴や塵埃等の内部への侵入を防ぎ、携帯送信機の密封性を高めるように構成されているものであった。
【００１７】
なお、この出願の発明に関連する先行技術文献情報としては、例えば、特許文献１が知られている。
【先行技術文献】
【特許文献】
【００１８】
【特許文献１】特開２００４−３１２６２１号公報
【発明の概要】
【発明が解決しようとする課題】
【００１９】
しかしながら、上記従来の携帯送信機においては、略リング状の弾性体８を携帯送信機の下ケース５に設けた窪部５Ｄに挿入し、電池カバー９により押圧することで防水性、防塵性を確保する構成としているため、例えば電池カバー９を下ケース５に締付ける複数のネジ１０の締付トルクに差が生じたり、不十分であった場合には、略リング状の弾性体８と窪部５Ｄの間や、弾性体８と電池カバー９の突部９Ａの間に湿気や塵が進入する経路が出来てしまい、防水性、防塵性が不十分なものとなる他、ネジ１０を締付ける際等に、弾性体８が捩れた状態で組込まれた場合にも、防水性、防塵性が不十分なものとなってしまうという課題があった。
【００２０】
本発明は、このような従来の課題を解決するものであり、防水性や防塵性を高め、確実な遠隔操作が可能な携帯送信機を提供することを目的とする。
【課題を解決するための手段】
【００２１】
上記目的を達成するために本発明は、以下の構成を有するものである。
【００２２】
本発明の請求項１に記載の発明は、弾性体を、外周に備えられた薄肉の外壁部と、弾性体の底面となる底部と、底部の下面から側方に延出した把持部とで構成し、下ケースの下面の円孔部の周囲に円孔部を周回して窪部が設けられ、窪部に弾性体の外壁部を密着挿入し、下カバーに設けられた突出した押圧部が弾性体の外壁部を下方から押圧して携帯送信機を構成したものであり、窪部に密着挿入された外壁部と底部が接合されることにより、湿気や埃が側方や下方から進入しなくなると共に、下カバーの押圧部が外壁部を窪部内に押圧して密着させるため、均等な密封性が保て、防水性や防塵性に優れ、確実な操作の可能な携帯送信機を得ることができるという作用を有するものである。
【００２３】
請求項２に記載の発明は、弾性体の外壁部の上面が、下ケースの窪部の上面に周回して設けられた突部に押圧されて請求項１記載の携帯送信機を構成したものであり、外壁部の上面が突部に高圧で押し付けられるため、密封性がより向上するという作用を有するものである。
【発明の効果】
【００２４】
以上のように本発明によれば、防水性や防塵性を高め、確実な遠隔操作の可能な携帯送信機を実現できるという有利な効果が得られる。
【図面の簡単な説明】
【００２５】
【図１】本発明の一実施の形態による携帯送信機の断面図
【図２】同分解斜視図
【図３】同部分断面拡大図
【図４】同組立斜視図
【図５】従来の携帯送信機の断面図
【図６】同分解斜視図
【発明を実施するための形態】
【００２６】
以下、本発明の実施の形態について、図１〜図４を用いて説明する。
【００２７】
なお、背景技術の項で説明した構成と同一構成の部分には同一符号を付する。
【００２８】
（実施の形態）
図１は本発明の一実施の形態による携帯送信機の断面図、図２は同分解斜視図であり、同図において、１は下面開放の略箱型でポリスチレンやアクリロニトリル・ブタジエン・スチレン共重合合成樹脂（以下ＡＢＳと記す）等の絶縁樹脂製の上ケースで、上面には複数の角孔１Ａが設けられると共に、開放された下面内周には内側へ突出する内周突部１Ｂが形成されている。
【００２９】
そして、２はシリコーンゴムやエラストマー等の弾性材料のカバーシートで、複数の押釦部２Ａ上方には、例えばドアの施錠や解錠を示す文字や記号等の表示が印刷されている。
【００３０】
また、３は紙フェノールやガラス入りエポキシ等の配線基板で、上下面に銅箔等によって複数の配線パターン（図示せず）が形成され、この上面にはプッシュスイッチ等のスイッチ接点４Ａが実装され配線パターンで送信アンテナ（図示せず）が形成されると共に、また配線基板３の下面にはマイコン等が実装されて制御手段４Ｂが形成され、この制御手段４Ｂが配線パターンを介して、複数のスイッチ接点４Ａや送信アンテナに接続されている。
【００３１】
また、１５は板状でポリスチレンやＡＢＳなどの絶縁樹脂製の下ケースで、下面略中央に下面側が円形に窪んだ円孔部１５Ａを備え、この円孔部１５Ａは上面の一部を上面壁１５Ｂで覆われると共に下面には係止部１５Ｃが設けられており、上面壁１５Ｂと係止部１５Ｃの間には電池７が保持されている。
【００３２】
さらに、電池７は配線基板３の下面に設けられた正極と負極の二つの導電性電極（図示せず）と、各々電池７の上面および下面で接しており、これにより配線基板３の制御手段４Ｂへ電源が供給される。
【００３３】
また、下ケース１５の上側面外周にはコの字状の外周溝部１５Ｄが設けられており、上ケース１の内周突部１Ｂと嵌合されて、カバーシート２と配線基板３とを上ケース１と下ケース１５との間に収納保持すると共に、カバーシート２の外周端部が上ケース１と下ケース１５の間で押圧され、配線基板３の上側あるいは側方から湿気や埃が進入しないようにしている。
【００３４】
さらに、円孔部１５Ａを囲むようにして、下ケース１５の下面には、略円状の窪部１５Ｅが形成されており、図３の部分断面拡大図で示すように、下方から窪部１５Ｅを見て底となる上面には、略円状にその窪部１５Ｅの中心線上に、左右に斜面を形成した断面が三角状の突部１５Ｆが窪部１５Ｅを周回して設けられている。
【００３５】
また、１８はシリコーンゴムやエラストマー等の弾性体で、外周に薄肉の外壁部１８Ａを周回して備え、底面となる上面視略円形の底部１８Ｂと、底部１８Ｂの下面から側方に延出した方形板状の把持部１８Ｃから構成されている。
【００３６】
また、上面視略円筒状の外壁部１８Ａが下ケース１５の略円状の窪部１５Ｅに挿入されると、外壁部１８Ａの上面は下ケース１５の窪部１５Ｅの下面に密着し、外壁部１８Ａの外側面は窪部１５Ｅの外側の内壁に密着し、外壁部１８Ａの内側面は窪部１５Ｅの内側の内壁に密着する。
【００３７】
そして、突部１５Ｆにより外壁部１８Ａの上面が圧縮され、図３で示すような断面が三角状の突部１５Ｆに沿った圧縮部１８Ｄが形成される。
【００３８】
さらに、１９は絶縁樹脂製の下カバーで、上面が平坦でリング状に盛り上がった押圧部１９Ａが弾性体１８の外壁部１８Ａに下方から弾接するよう、下ケース１５と組み合わされて、携帯送信機２５が構成されている。
【００３９】
つまり、弾性体１８の外壁部１８Ａと底部１８Ｂは一体に接合されているため、底部１８Ｂの下方や側方からは、湿気や塵が進入しない防水性、防塵性が高い構造となっている。
【００４０】
また、下ケース１５の窪部１５Ｅの中心線上に、左右に斜面を形成した断面が三角状の突部１５Ｆを設けているため、弾性体１８の外壁部１８Ａの上面が高圧で突部１５Ｆに押圧され、圧縮部１８Ｄを形成しており、より密封性が高いものとなっている。
【００４１】
また、下カバー１９のリング状に盛り上がった押圧部１９Ａは外壁部１８Ａに下方から押圧しているため、弾性体１８の外壁部１８Ａを撓ませて、外壁部１８Ａを下ケース１５の窪部１５Ｅの下面および内壁と密着させる。
【００４２】
さらに、携帯送信機２５を持ち運んだり落としたりした場合においても、弾性体１８の外壁部１８Ａが下ケース１５の窪部１５Ｅ内に圧入された状態が維持され、弾性体１８の外壁部１８Ａと下ケース１５の窪部１５Ｅとの隙間が生じ難く、湿気や埃の侵入を防ぐものとなっている。
【００４３】
なお、このような携帯送信機を組立てる際には、先ず、作業者は下ケース１５に配線基板３やカバーシート２を装着した後、上ケース１の角孔１Ａ内から押釦部２Ａが露出するように、上ケース１を載せ、上ケース１の内周突部１Ｂと下ケース１５の外周溝部１５Ｄを嵌合し、電池７を上面壁１５Ｂと係止部１６との間に挿入する。
【００４４】
そして、図４の組立斜視図で示す、弾性体１８の把持部１８Ｃを指で挟み、下ケース１５の略円状の窪部１５Ｅと外壁部１８Ａの位置を合わせ、窪部１５Ｅに外壁部１８Ａを所定の力で押圧しながら圧入して、弾性体１８を下ケース１５下面に装着し、さらに下カバー１９を下ケース１５に組み合わせて、携帯送信機２５を完成させる。
【００４５】
すなわち、弾性体１８の外壁部１８Ａを所定の力で押圧しながら圧入するだけで、外壁部１８Ａを窪部１５Ｅ内に密着することが出来るため、弾性体１８が捩れない状態で、簡便に外壁部１８Ａの全周で均等な密封性を保つことができるように構成されている。
【００４６】
なお、弾性体１８だけで防水性、防塵性を確保することが出来るため、構成部品が少なくなり、より安価に携帯送信機を構成しうる。
【００４７】
以上の構成において、押釦部２Ａの例えばドアの解錠を示す表示が印刷された箇所を押圧操作すると、配線基板３上のスイッチ接点４Ａが押圧され、そのスイッチ接点４Ａの接離を制御手段４Ｂが検出し、この操作に応じた解錠信号を送信アンテナから車両へ送信して、例えば、ドアの解錠制御などが行われる。
【００４８】
このように本実施の形態によれば、弾性体１８を、外周に備えられた薄肉の外壁部１８Ａと、弾性体１８の底面となる底部１８Ｂと、底部の下面から側方に延出した把持部１８Ｃとで構成し、下ケース１５の下面の円孔部１５Ａの周囲に円孔部１５Ａを周回して窪部１５Ｅが設けられ、窪部１５Ｅに弾性体１８の外壁部１８Ａを密着挿入し、下カバーに設けられた突出した押圧部が弾性体の外壁部を下方から押圧して、携帯送信機を構成したものであり、窪部１５Ｅに密着挿入された外壁部１８Ａと底部１８Ｂが接合されることにより、湿気や埃が側方や下方から進入しなくなると共に、下カバー１９の押圧部１９Ａが外壁部１８Ａを窪部１５Ｅ内に押圧して密着させるため、均等な密封性が保て、防水性や防塵性に優れ、確実な操作の可能な携帯送信機を得ることができるものである。
【産業上の利用可能性】
【００４９】
本発明による携帯送信機は、防水性や防塵性を高め、確実な遠隔操作の可能なものが得られ、主に各種電子機器の操作用として有用である。
【符号の説明】
【００５０】
１  上ケース
１Ａ  角孔
１Ｂ  内周突部
２  カバーシート
２Ａ  押釦部
３  配線基板
４Ａ  スイッチ接点
７  電池
１５  下ケース
１５Ａ  円孔部
１５Ｂ  上面壁
１５Ｃ  係止部
１５Ｄ  外周溝部
１５Ｅ  窪部
１５Ｆ  突部
１８  弾性体
１８Ａ  外壁部
１８Ｂ  底部
１８Ｃ  把持部
１８Ｄ  圧縮部
１９  下カバー
１９Ａ  押圧部
２５  携帯送信機
【図１】
2010251890.tif 000003
【図２】
2010251890.tif 000004
【図３】
2010251890.tif 000005
【図４】
2010251890.tif 000006
【図５】
2010251890.tif 000007
【図６】
2010251890.tif 000008